(57)【要約】【課題】屋外などで作業をしたり、レジャーをするときなどの「激しい動作」が伴う眼鏡の着用時にも揺れ動いたり、邪魔になったりすることなく、さらに保持した香水や薬剤などの揮発成分が直接人体に触れることなく、しかも香水や薬剤などの揮発成分を、別の香りの香水や別の種類の薬剤などに取り替えたい場合、その眼鏡装着品ごと簡単に取り替えることができる眼鏡装着品、及びこの眼鏡装着品を備えた眼鏡を提供する。【解決手段】本体と蓋体とからなり、この蓋体が眼鏡のフレームの表面側になるようにすると共に、この蓋体側から揮発成分を発散させるようにして、前記眼鏡のフレームに形成された嵌合部に嵌脱自在としたものとしている。【選択図】図４
2016114705.tif 000002
【特許請求の範囲】
【請求項１】
本体と蓋体とからなり、この蓋体が眼鏡のフレームの表面側になるようにすると共に、この蓋体側から揮発成分を発散させるようにして、前記眼鏡のフレームに形成された嵌合部に嵌脱自在としていることを特徴とする眼鏡装着品。
【請求項２】
前記蓋体に発散孔を設け、前記本体内に揮発成分保持体を収容し、この揮発成分保持体に前記揮発成分を含浸させていることを特徴とする請求項１記載の眼鏡装着品。
【請求項３】
前記蓋体を揮発成分徐放性樹脂で作成し、この揮発成分徐放性樹脂に前記揮発成分を含有させていることを特徴とする請求項１記載の眼鏡装着品。
【請求項４】
前記本体に貫通孔を設けていることを特徴とする請求項１記載の眼鏡装着品。
【請求項５】
請求項１〜４の何れかに記載の眼鏡装着品を備えたことを特徴とする眼鏡。
【発明の詳細な説明】
【技術分野】
【０００１】
この発明は、香水や薬剤などの揮発成分を発散させるようにした眼鏡装着品、及びこの眼鏡装着品を備えた眼鏡に関するものである。
【背景技術】
【０００２】
揮発成分を発散させるようにした眼鏡装着品や、この眼鏡装着品を備えた眼鏡は、従来から多々存在する。
【０００３】
例えば、このような従来の眼鏡装着品には、香水の注入口と、その香水の発散口を設けた容器に、鉤状の引っ掛け部を設けることにより散香器としたものが存在する（特許文献１）。
【０００４】
前記散香器は、眼鏡のフレームに引っ掛けて使用することができるため、必要時に直ぐに眼鏡に装着することができて非常に便利であるとし、また耳に付けたイヤリングに引っ掛けても使用することができるため、眼鏡の着用していない者にも装着することができ非常に便利であるとしている。
【０００５】
さらに、このような従来の眼鏡装着品には、ウレタンフォーム等からなるパッドの一面に両面接着テープを備え、花粉症などに効く薬剤や、好みの香水などをそのパッドに浸透させることにより眼鏡用クッションパッドとしたものが存在する（特許文献２）。
【０００６】
前記眼鏡用クッションパッドは、鼻への圧迫感が解消されると共に、目をスッキリさせたり、香りによってストレスを解消できるなどの効果があるとしている。
【０００７】
また、このような従来の眼鏡には、テンプルフレームの後方に設けた保持孔に、香水の吸収性が良好な粉粒体を充填させ、この粉粒体に香水を浸透させて香気を発散するようにしたものが存在する（特許文献３）。
【０００８】
前記眼鏡は、使用者の好みの香水を香気保持部に滴下して香気を発散することができ、しかも保持孔に充填した粉粒体が香水の揮発性を抑制し、香気の持続性を図ることができるとしている。
【０００９】
さらにまた、このような従来の眼鏡には、香水を保持するような処理を施した多孔質の板片を、テンプルフレームの内側面に設けられた溝に押し込むようにしたものが存在する（特許文献４）。
【００１０】
前記眼鏡は、板片に香水を数滴含浸させることにより、香水が直接人体に触れることなく、芳香を発散することができ、板片には香水を必要に応じて繰り返し含浸させることができ、香水の芳香を持続的に発散させることができるとしている。
【先行技術文献】
【特許文献】
【００１１】
【特許文献１】登録実用新案第３０５７５０６号公報
【特許文献２】特開２００５ー２５８３７８号公報
【特許文献３】実開平３ー３１７１５号公報
【特許文献４】特開平５ー２９３１６３号公報
【発明の概要】
【発明が解決しようとする課題】
【００１２】
しかしながら、上記特許文献１に記載された散香器は、眼鏡のフレームに引っ掛けて使用することができるため、必要時に直ぐに眼鏡に装着することができ非常に便利であるとしているが、眼鏡のフレームに単に引っ掛けているだけなので、その装着状態が不安定であり、屋外などで作業をしたり、レジャーをするときなどの「激しい動作」が伴う眼鏡の着用時には、散香器が揺れ動いて邪魔になったりして、作業やレジャーをするのに支障をきたすという問題点を有していた。
【００１３】
さらに、上記特許文献２に記載された眼鏡用クッションパッドは、パッドに浸透させた香水や薬剤が直接人体に触れるので、肌荒れがしたり、人体からの発汗によって薬剤や香水が劣化して、薬効が低下したり、香りが変化したりすることがあるという問題点を有していた。
【００１４】
また、上記特許文献３に記載された眼鏡は、粉粒体がテンプルフレームの後方に直に形成された保持穴に充填されており、この保持穴から粉粒体を取り外せないため、別の香りの香料に取り替えたい場合、粉粒体に含浸させた香料が完全に揮発しきってしまわないうちに、その粉粒体に別の香料を含浸させると、香りが混ざってその香料の本来の香りを発散できないという問題点を有すると共に、粉粒体を保持穴から取り外せないため、長年使用していると粉粒体に埃などが溜まって、その発散機能が充分に発揮できなくなるという問題点を有していた。
【００１５】
さらにまた、上記特許文献４に記載された眼鏡においても、板片がテンプルフレームに設けられた溝に押し込むようにされているため、この溝から板片を取り外すことができず、前記特許文献３に記載された眼鏡と同様の問題点、すなわち板片に含浸させた香料が完全に揮発しきってしまわないうちに、その板片に別の香料を含浸させると、香りが混ざってその香料の本来の香りを発散できないという問題点を有すると共に、板片を溝から取り外すことができないため、長年使用していると板片に埃などが溜まって、その発散機能が充分に発揮できなくなるという問題点を有していた。
【００１６】
そこで、この発明は、屋外などで作業をしたり、レジャーをするときなどの「激しい動作」が伴う眼鏡の着用時にも揺れ動いたり、邪魔になったりすることなく、さらに保持した香水や薬剤などの揮発成分が直接人体に触れることなく、しかも香水や薬剤などの揮発成分を、別の香りの香水や別の種類の薬剤などに取り替えたい場合、その眼鏡装着品ごと簡単に取り替えることができる眼鏡装着品、及びこの眼鏡装着品を備えた眼鏡を提供することを目的としてなされたものである。
【課題を解決するための手段】
【００１７】
この発明の眼鏡装着品は、本体と蓋体とからなり、この蓋体が眼鏡のフレームの表面側になるようにすると共に、この蓋体側から揮発成分を発散させるようにして、前記眼鏡のフレームに形成された嵌合部に嵌脱自在としている。
【００１８】
さらに、この発明の眼鏡装着品は、前記蓋体に発散孔を設け、前記本体内に揮発成分保持体を収容し、この揮発成分保持体に前記揮発成分を含浸させている。
【００１９】
また、この発明の眼鏡装着品は、前記蓋体を揮発成分徐放性樹脂で作成し、この揮発成分徐放性樹脂に前記揮発成分を含有させている。
【００２０】
さらにまた、この発明の眼鏡装着品は、前記本体に貫通孔を設けている。
【００２１】
そして、この発明の眼鏡は、前記眼鏡装着品を備えたものとしている。
【発明の効果】
【００２２】
この発明は、以上に述べたように構成されており、屋外などで作業をしたり、レジャーをするときなどの「激しい動作」が伴う眼鏡の着用時にも揺れ動いたり、邪魔になったりすることがないので、その屋外などでの作業やレジャーをするのに支障をきたすことがないものとなる。
【００２３】
さらに、この発明は、保持した香水や薬剤などの揮発成分が直接人体に触れることがないので、肌荒れがしたりすることはなく、薬剤や香水が劣化して、薬効が低下したり、香りが変化したりすることがない。
【００２４】
しかも、この発明は、香水や薬剤などの揮発成分を、別の香りの香水や別の種類の薬剤などに取り替えたい場合、その眼鏡装着品ごと簡単に取り替えることができるので、香りが混ざってその香料の本来の香りを発散できないということもなく、埃などが溜まって、その発散機能が充分に発揮できなくなるということもなくなる。
【図面の簡単な説明】
【００２５】
【図１】この発明の眼鏡装着品の第一実施形態の斜視図である。
【図２】図１に示すこの発明の眼鏡装着品の分解斜視図である。
【図３】図１中のＡ−Ａによるこの発明の眼鏡装着品の断面図である。
【図４】図１に示すこの発明の眼鏡装着品を取り付けた眼鏡の斜視図である。
【図５】図１に示すこの発明の眼鏡装着品を取り外した眼鏡の斜視図である。
【図６】図１に示すこの発明の眼鏡装着品を取り付けた眼鏡の側面図である。
【図７】図６中のＢ−Ｂによるこの発明の眼鏡装着品を取り付けた眼鏡の断面図である。
【図８】図６中のＢ−Ｂによるこの発明の眼鏡装着品を取り付けた眼鏡の断面図であり、（ａ）は眼鏡のみの断面図であり、（ｂ）は眼鏡装着品のみの断面図である。
【図９】この発明の眼鏡装着品を包装する非通気性袋の説明図である。
【図１０】この発明の眼鏡装着品の第二実施形態の斜視図である。
【図１１】図１０に示すこの発明の眼鏡装着品の分解斜視図である。
【図１２】図１０に示すこの発明の眼鏡装着品の組み立て状態を示す斜視図である。
【図１３】図１０に示すこの発明の眼鏡装着品の平面図である。
【図１４】図１３中のＣ−Ｃによるこの発明の眼鏡装着品の断面図である。
【図１５】この発明の眼鏡装着品の第三実施形態の分解斜視図である。
【図１６】図１５に示すこの発明の眼鏡装着品を取り付けた眼鏡の側面図である。
【図１７】図１６中のＤ−Ｄによるこの発明の眼鏡装着品を取り付けた眼鏡の断面図である。
【図１８】この発明の眼鏡装着品の第四実施形態の斜視図である。
【図１９】図１８に示すこの発明の眼鏡装着品の眼鏡に装着する以外の第一使用例を示す説明図である。
【図２０】図１８に示すこの発明の眼鏡装着品の眼鏡に装着する以外の第二使用例を示す説明図である。
【発明を実施するための形態】
【００２６】
以下、この発明の眼鏡装着品及びこの眼鏡装着品を備えた眼鏡を実施するための形態について、図面に基づき詳細に説明する。
【００２７】
図１〜３はこの発明の眼鏡装着品の第一実施形態を示し、図４〜８はこの第一実施形態の眼鏡装着品を備えた眼鏡を示している。
【００２８】
この第一実施形態におけるこの発明の眼鏡装着品は、図５に示したような眼鏡のフレーム１０１に形成された嵌合部１０２に嵌脱自在としている。この第一実施形態の眼鏡装着品は、本体１と蓋体２とからなり、本体１内に揮発成分保持体３を収容している。
【００２９】
本体１は、合成樹脂を一体成形してなるものとしており、平面形状が先端側の辺を最も短くした略長三角形状とし、先端から少し下げた位置から後端にかけて、幅方向に突出するフランジ１ａを設け、さらに少なくとも前半分に収容空間１ｂを設け、この収容空間１ｂに後に述べる揮発成分保持体３を収容するようにしている。そして、この収容空間１ｂは、平面形状が略中央を幅狭部Ｓａとした略長方形状としており、後に述べるように収容した揮発成分保持体３が収容空間１ｂ内から外れにくくなるようにしている。さらに、収容空間１ｂの先後には、後に述べる蓋体２の嵌合爪４ａ、４ｂの嵌合部５ａ、５ｂを設けると共に、収容空間１ｂの両側端には、後に述べる蓋体２の嵌合爪４ｃ、４ｃの嵌合部５ｃ、５ｃを設けている。なお、嵌合部５ａ、５ｂは、孔形状としているが、溝形状としてもよく、また嵌合部５ｃ、５ｃは溝形状としているが、孔形状としてもよい。
【００３０】
蓋体２は、合成樹脂を一体成形してなるものとしており、前記本体２に嵌め込まれて、収容空間１ｂを覆うようにすると共に、多数個の発散孔６を設けており、これらの発散孔６から後に述べる揮発成分保持体３に含浸させた香水や薬剤などの揮発成分を発散させるようにしている。そして、蓋体２の先後端には、前記収容空間１ｂの先後に設けた嵌合部５ａ、５ｂに嵌合する嵌合爪４ａ、４ｂを設け、蓋体２の両側端には、前記収容空間１ｂの両側端に設けた嵌合部５ｃ、５ｃに嵌合する嵌合爪４ｃ、４ｃを設けている。さらに、蓋体２の内周部には段差Ｓ１を設けると共に、本体１にもこの段差Ｓ１に対応するように段差Ｓ２を設けている。このようにすれば、本体１に蓋体２を被せ、嵌合爪４ａ、４ｂを嵌合部５ａ、５ｂに嵌合させたときに、前記段差Ｓ１と段差Ｓ２どうしが噛み合い、この噛み合い部が液止めとなって、前記収容空間１ｂに収容した揮発成分保持体３に含浸させた揮発成分の液漏れを可及的に防止することできる。なお、前記本体１に蓋体２を嵌め込んだ場合に、図８（ｂ）に示したように、前記本体１と蓋体２との嵌合境界部近辺に断面アール形状の周溝Ｄを設けたものとしている。
【００３１】
揮発成分保持体３は、発泡樹脂やセラミックなどの多孔質材からなるものとしており、香水や薬剤などの揮発成分を含浸させ、これらの揮発成分を長時間、保持させておけるようにしている。そして、揮発成分保持体３を発泡樹脂とした場合は、図２に示したように、幅狭部Ｓａを有さない収容空間１ｂと平面形状が同様の略長方形状としており、この揮発成分保持体３を収容空間１ｂに収容した場合は、揮発成分保持体３の略中央部が収容空間１ｂの幅狭部Ｓａに挟まれて変形することにより、揮発成分保持体３が収容空間１ｂ内から外れにくくなるようにしている。また、揮発成分保持体３をセラミックとした場合は、後に述べるが図１１に示したように、平面形状が略中央を幅狭部Ｓｂとして収容空間１ｂと同様の略長方形状としており、この揮発成分保持体３を収容空間１ｂに収容した場合は、揮発成分保持体３の幅狭部Ｓｂが収容空間１ｂの幅狭部Ｓａに嵌まり込んで、揮発成分保持体３が収容空間１ｂ内から外れにくくなるようにしている。なお、揮発成分保持体３を発泡樹脂とした場合には、平面形状が略中央を幅狭部Ｓａとした収容空間１ｂと同様の略長方形状としても、前記揮発成分保持体３をセラミックとした場合と同様に、揮発成分保持体３が収容空間１ｂ内から外れにくくなる。
【００３２】
そして、この第一実施形態の眼鏡装着品は、以上のように構成した本体１の収容空間１ｂに揮発成分保持体３を収容し、この揮発成分保持体３の上方を覆うようにして、本体１に蓋体２を被せた状態にして、図５に示したような眼鏡のフレーム１０１に形成された嵌合部１０２に、蓋体２の発散孔６がフレーム１０１の表面側になるようにして、本体１をフレーム１０１に嵌脱自在として嵌め込まれる。
【００３３】
図５に示した眼鏡のフレーム１０１には、テンプルフレーム１０１ａの前端から略中央にかけて嵌合部１０２が形成されている。この嵌合部１０２は、前記本体１がすきまなく嵌まり込むように、この本体１の略長三角形状に合致した通孔としている。そして、図８（ａ）に示したように、この通孔とした嵌合部１０２の孔壁１０２ａの断面形状をアール形状としており、この嵌合部１０２に本体１を嵌め込んだときに、嵌合部１０２の孔壁１０２ａが、前記本体１と蓋体２との嵌合境界部近辺に形成した周溝Ｄに嵌まり込むようしている。このようにすることにより、本体１のフレーム１０１への嵌脱操作をスムーズに行なうことができるものとなる。なお、テンプルフレーム１０１ａの嵌合部１０２に本体１を嵌め込んだ状態では、図４、６、７に示したように、その本体１に被せた蓋体２の表面Ｆと、テンプルフレーム１０１ａの外側表面１０２ｂとが略面一となるか、蓋体２の表面Ｆがテンプルフレーム１０１ａの外側表面１０２ｂより少し低くなるようにしている。このようにすると、蓋体２を上から手指などで押し付けないかぎり、本体１がテンプルフレーム１０１ａの嵌合部１０２から容易に外れることがなく、また眼鏡の使用時に手指が蓋体２に引っ掛かるなどして邪魔になるようなことがない。
【００３４】
また、図示した眼鏡のフレーム１０１は、一眼のレンズ１０３の両端に設けたテンプルフレーム１０１ａに前記嵌合部１０２を形成したものとしたが、眼鏡が二眼のレンズである場合など、レンズフレーム（図示せず）を備えている場合には、このレンズフレームに前記嵌合部１０２を形成したものとしてもよい。
【００３５】
なお、この発明の眼鏡装着品は、眼鏡に装着しないときは、図９に示したようなアルミ箔などで作製された非通気性袋１０４で密閉包装しておけば、揮発成分保持体３に含浸させた香水や薬剤などの揮発成分が発散してしまうことがなく、長期間、保管しておくことができる。
【００３６】
図１０〜１４はこの発明の眼鏡装着品の第二実施形態を示している。この第二実施形態においても、この発明の眼鏡装着品は、図５に示したような第一実施形態と同様の眼鏡のフレーム１０１に形成された嵌合部１０２に嵌脱自在としている。この第二実施形態の眼鏡装着品は、本体１１と蓋体１２とからなり、本体１１内に揮発成分保持体１３を収納している。
【００３７】
本体１１は、合成樹脂を一体成形してなるものとしており、第一実施形態と同様に、平面形状が先端側の辺を最も短くした略長三角形状とし、先端から少し下げた位置から後端にかけて、幅方向に突出するフランジ１１ａを設け、さらに少なくとも前半分に収容空間１１ｂを設け、この収容空間１１ｂに後に述べる揮発成分保持体１３を収容するようにしている。そして、この収容空間１１ｂは、平面形状が略中央を幅狭部Ｓａとした略長方形状としており、第一実施形態と同様に収容した揮発成分保持体１３が収容空間１１ｂ内から外れにくくなるようにしている。さらに、収容空間１１ｂの後方には、後に述べる蓋体１２の嵌合爪１４ａの嵌合部１５ａを設けると共に、収容空間１１ｂの両側端には、後に述べる蓋体１２の嵌合爪１４ｂ、１４ｂの嵌合部１５ｂ、１５ｂを設けている。なお、嵌合部１５ａは、孔形状としているが、溝形状としてもよく、また嵌合部１５ｂ、１５ｂは溝形状としているが、孔形状としてもよい。また、本体１１の先端は、後に述べる蓋体１２の先端とヒンジ１６により連結しており、このヒンジ１６から蓋体１２を折り返すことにより、蓋体１２が本体１１に被せられるようにしている。
【００３８】
蓋体１２は、合成樹脂を一体成形してなるものとしており、前記本体１１に嵌め込まれて、収容空間１１ｂを覆うようにすると共に、多数個の発散孔１７を設けており、これらの発散孔１７から後に述べる揮発成分保持体１３に含浸させた香水や薬剤などの揮発成分を発散させるようにしている。そして、蓋体１２の後端には、前記収容空間１１ｂの後方に設けた嵌合部１５ａに嵌合する嵌合爪１４ａを設け、蓋体１２の両側端には、前記収容空間１１ｂの両側端に設けた嵌合部１５ｂ、１５ｂに嵌合する嵌合爪１４ｂ、１４ｂを設けている。さらに、蓋体１２の内周部には段差Ｓ１を設けると共に、本体１１にもこの段差Ｓ１に対応するように段差Ｓ２を設けている。このようにすれば、本体１１に蓋体１２を被せ、嵌合爪１４ａを嵌合部１５ａに嵌合させたときに、前記段差Ｓ１と段差Ｓ２どうしが噛み合い、この噛み合い部が液止めとなって、前記収容空間１１ｂに収容した揮発成分保持体１３に含浸させた揮発成分の液漏れを可及的に防止することできる。なお、前記本体１１に蓋体１２を嵌め込んだ場合に、第一実施形態と同様に、前記本体１１と蓋体１２との嵌合境界部近辺に断面アール形状の周溝Ｄ（図示せず）を設けたものとしている。
【００３９】
揮発成分保持体１３は、発泡樹脂やセラミックなどの多孔質材からなるものとしており、香水や薬剤などの揮発成分を含浸させ、これらの揮発成分を長時間、保持させておけるようにしている。そして、揮発成分保持体１３をセラミックとした場合は、図１１に示したように、平面形状が略中央を幅狭部Ｓａとした収容空間１１ｂと同様の略長方形状としており、この揮発成分保持体１３を収容空間１１ｂに収容した場合は、揮発成分保持体１３の幅狭部Ｓｂが収容空間１１ｂの幅狭部Ｓａに嵌まり込んで、揮発成分保持体１３が収容空間１１ｂ内から外れにくくなるようにしている。また、揮発成分保持体１３を発泡樹脂とした場合は、第一実施形態に示したように、幅狭部Ｓａを有さない収容空間１１ｂと同様の平面形状の略長方形状としたり、幅狭部Ｓａを有した収容空間１１ｂと同様の平面形状の略長方形状とすれば、揮発成分保持体４が収容空間３ａ内から外れにくくなる。
【００４０】
そして、この第二実施形態の眼鏡装着品は、以上のように構成した本体１１の収容空間１１ｂに揮発成分保持体１３を収容し、この揮発成分保持体１３の上方を覆うようにして、本体１１に蓋体１２を被せた状態にして、第一実施形態の眼鏡装着品と同様に、図５に示したような眼鏡のフレーム１０１に形成された嵌合部１０２に、蓋体１２の発散孔１７がフレーム１０１の表面側になるようにして、本体１１をフレーム１０１に嵌脱自在として嵌め込まれる。
【００４１】
なお、この第二実施形態の眼鏡装着品においても、眼鏡のフレーム１０１に嵌め込まれた状態では、第一実施形態の眼鏡装着品と同様の状態になるようにしており、本体１１のフレーム１０１への嵌脱操作をスムーズに行なうことができるものとなるとともに、蓋体１２を上から手指などで押し付けないかぎり、本体１１がテンプルフレーム１０１ａの嵌合部１０２から容易に外れることがなく、また眼鏡の使用時に手指が蓋体１２に引っ掛かるなどして邪魔になるようなことがない。
【００４２】
図１５〜１７はこの発明の眼鏡装着品の第三実施形態を示している。この第三実施形態においても、この発明の眼鏡装着品は、図５に示したような第一実施形態と同様の眼鏡のフレーム１０１に形成された嵌合部１０２に嵌脱自在としている。そして、この第三実施形態の眼鏡装着品は、本体２１と蓋体２２とからなるものとしている。
【００４３】
本体２１は、合成樹脂を一体成形してなるものとしており、平面形状が先端側の辺を最も短くした略長三角形状とし、先端から少し下げた位置から後端にかけて、幅方向に突出するフランジ２１ａを設け、さらに少なくとも前半分に収容空間２１ｂを設け、この収容空間２１ｂに後に述べる蓋体２２の突出部２３を収容するようにしている。そして、この収容空間２１ｂは、平面形状が略中央を幅狭部Ｓａとした略長方形状としており、後に述べるように収容した蓋体２２の突出部２３が収容空間２１ｂ内から外れにくくなるようにしている。さらに、収容空間２１ｂの先後には、後に述べる蓋体２２の嵌合爪２４ａ、２４ｂの嵌合部２５ａ、２５ｂを設けると共に、収容空間２１ｂの両側端には、後に述べる蓋体２２の嵌合爪２４ｃ、２４ｃの嵌合部２５ｃ、２５ｃを設けている。なお、嵌合部２５ａ、２５ｂは、孔形状としているが、溝形状としてもよく、また嵌合部２５ｃ、２５ｃは溝形状としているが、孔形状としてもよい。
【００４４】
蓋体２２は、合成樹脂を一体成形してなるものとしており、下方に突出部２３を設けたものとしており、この突出部２３を前記本体２１の収容空間２１ｂに嵌め込むようにしている。そして、蓋体２２の先後端には、前記収容空間２１ｂの先後に設けた嵌合部２５ａ、２５ｂに嵌合する嵌合爪２４ａ、２４ｂを設け、蓋体２２の両側端には、前記収容空間２１ｂの両側端に設けた嵌合部２５ｃ、２５ｃに嵌合する嵌合爪２４ｃ、２４ｃを設けている。なお、前記本体２１に蓋体２２を嵌め込んだ場合に、第一実施形態と同様に、前記本体２１と蓋体２２との嵌合境界部近辺に断面アール形状の周溝Ｄ（図示せず）を設けたものとしている。
【００４５】
さらに、前記蓋体２２を成形する合成樹脂は、揮発成分徐放性樹脂、すなわち揮発成分を徐々に発散させる加工をした合成樹脂としており、香水や薬剤などの揮発成分を含有させ、これらの揮発成分を長時間にわたって徐々に発散させるようにしている。そして、蓋体２２に設けた突出部２３は、平面形状が略中央を幅狭部Ｓｂとして収容空間２１ｂと同様の略長方形状としており、この突出部２３を収容空間２ｂに収容した場合は、突出部２３の幅狭部Ｓｂが収容空間２１ｂの幅狭部Ｓａに嵌まり込んで、その突出部２３が収容空間２１ｂ内から外れにくくなるようにしている。
【００４６】
そして、この第三実施形態の眼鏡装着品は、以上のように構成した本体２１の収容空間２１ｂに蓋体２２の突出部２３を収容し、この本体２１に蓋体２２を被せた状態にして、第一実施形態の眼鏡装着品と同様に、図５に示したような眼鏡のフレーム１０１に形成された嵌合部１０２に、蓋体２２がフレーム１０１の表面側になるようにして、本体２１をフレーム１０１に嵌脱自在として嵌め込まれる。
【００４７】
なお、この第三実施形態の眼鏡装着品においても、眼鏡のフレーム１０１に嵌め込まれた状態では、第一実施形態の眼鏡装着品と同様の状態になるようにしており、本体２１のフレーム１０１への嵌脱操作をスムーズに行なうことができるものとなるとともに、蓋体２２を上から手指などで押し付けないかぎり、本体２１がテンプルフレーム１０１ａの嵌合部１０２から容易に外れることがなく、また眼鏡の使用時に手指が蓋体２２に引っ掛かるなどして邪魔になるようなことがない。
【００４８】
図１８はこの発明の眼鏡装着品の第四実施形態を示し、図１９、２０はこの第四実施形態の眼鏡装着品の使用状態を示している。
【００４９】
この第四実施形態におけるこの発明の眼鏡装着品は、もちろん眼鏡に装着して使用することができるが、ペンダント代わりとして首からぶら下げるようにして使用したり、クリップを取り付けたりして、衣服や帽子に挟んで使用することもできるようにしている。
【００５０】
この第四実施形態の眼鏡装着品は、本体３１と蓋体３２とからなり、本体３１内に揮発成分保持体（図示せず）を収容しており、図示したものは第一実施形態の眼鏡装着品と全く同様に構成したものの本体３１の後半部側に貫通孔３３を設けたものとしている。
【００５１】
そして、この第四実施形態の眼鏡装着品では、図１９に示したように、本体３１に設けた貫通孔３３にリング４１を通すなどし、このリング４１に紐４２を通して首にぶら下げればペンダント代わりとして使用することができる。また、図２０に示したように、本体３１に設けた貫通孔３３にリング４１を通すなどし、このリング４１にクリップ４３を取り付けたりすれば、衣服や帽子に挟んで使用するようことができる。
【００５２】
なお、この第四実施形態の眼鏡装着品は、第二実施形態の眼鏡装着品や第三実施形態の眼鏡装着品と全く同様に構成したものの本体３１の後半部側に前記貫通孔３３を設けたものとしてもよい。
【００５３】
この発明の眼鏡は、前記第一、第二実施例に示したような、本体と蓋体からなり、本体内に揮発成分保持体を収容した眼鏡装着品や、前記第三実施例に示したような、本体と蓋体からなり、その蓋体が揮発成分徐放性樹脂よりなる眼鏡装着品や、前記第四実施例に示したような眼鏡装着品を、眼鏡のフレームに備えてなるものとしている。
【００５４】
そして、この発明の眼鏡は、前記図５に示したように、フレーム１０１にはテンプルフレーム１０１ａの前端から略中央にかけて嵌合部１０２が形成されている。この嵌合部１０２は、前記眼鏡装着品の本体１、１１、２１、３１がすきまなく嵌まり込むように、本体１、１１、２１、３１の略長三角形状に合致した通孔としている。そして、この通孔とした嵌合部１０２は、前記図８（ａ）に示したように、孔壁１０２ａの断面形状をアール形状としており、嵌合部１０２に本体１、１１、２１、３１を嵌め込んだときに、嵌合部１０２の孔壁１０２ａが、前記本体１、１１、２１、３１と蓋体２、１２、２２、３２との嵌合境界部近辺に形成した周溝Ｄに嵌まり込むようしている。このようにすることにより、本体１、１１、２１、３１のフレーム１０１への嵌脱操作をスムーズに行なうことができるものとなる。なお、テンプルフレーム１０１ａの嵌合部１０２に本体１、１１、２１、３１を嵌め込んだ状態では、その本体１、１１、２１、３１に被せた蓋体２、１２、２２、３２の表面Ｆと、テンプルフレーム１０１ａの外側表面１０２ｂとが略面一となるか、蓋体２、１２、２２、３２の表面Ｆがテンプルフレーム１０１ａの外側表面１０２ｂより少し低くなるようにしている。このようにすると、蓋体２、１２、２２、３２を上から手指などで押し付けないかぎり、本体１、１１、２１、３１がテンプルフレーム１０１ａの嵌合部１０２から容易に外れることがなく、また眼鏡の使用時に手指が蓋体２、１２、２２、３２に引っ掛かるなどして邪魔になるようなことがない。
【００５５】
また、図示したこの発明の眼鏡のフレーム１０１は、一眼のレンズ１０３の両端に設けたテンプルフレーム１０１ａに前記嵌合部１０２を形成したものとしたが、眼鏡が二眼のレンズである場合など、レンズフレーム（図示せず）を備えている場合には、このレンズフレームに前記嵌合部１０２を形成したものとしてもよい。
【００５６】
このように構成されたこの発明の眼鏡は、前記揮発成分保持体３、１３に含浸させる香水や薬剤、または前記揮発成分徐放性樹脂からなる蓋体２２に含有させる香水や薬剤を、虫忌避効果のあるレモンユ−カリオイル等の精油にすれば、屋外などで作業をしたり、レジャーをするときなどに着用することにより、虫が近寄ってくるようなことはなく、その虫に刺されたりすることがなくなる。
【００５７】
そして、この発明の眼鏡は、前記香水や薬剤をアロマオイルや花粉症などに効く薬剤等にすれば、その香りによって心身の健康やリラクゼーション、ストレスの解消、病気の予防や治療などの効果を得ることができるものなる。
【００５８】
さらに、この発明の眼鏡は、先にも述べたように、屋外などで作業をしたり、レジャーをするときなどの「激しい動作」が伴う眼鏡の着用時にも揺れ動いたり、邪魔になったりすることがないので、その屋外などでの作業やレジャーをするのに支障をきたすことがないものとなる。
【００５９】
また、この発明の眼鏡は、保持した香水や薬剤などの揮発成分が直接人体に触れることがないので、肌荒れがしたりすることはなく、薬剤や香水が劣化して、薬効が低下したり、香りが変化したりすることがない。
【００６０】
しかも、この発明の眼鏡は、香水や薬剤などの揮発成分を、別の香りの香水や別の種類の薬剤などに取り替えたい場合、その眼鏡装着品ごと簡単に取り替えることができるので、香りが混ざってその香料の本来の香りを発散できないということもなく、埃などが溜まって、その発散機能が充分に発揮できなくなるということもなくなる。
【符号の説明】
【００６１】
１、１１、２１、３１  本体
２、１２、２２、３２  蓋体
３、１３  揮発成分保持体
６、１７  発散孔
１０１  フレーム
１０２  嵌合部
【図１】
2016114705.tif 000003
【図２】
2016114705.tif 000004
【図３】
2016114705.tif 000005
【図４】
2016114705.tif 000006
【図５】
2016114705.tif 000007
【図６】
2016114705.tif 000008
【図７】
2016114705.tif 000009
【図８】
2016114705.tif 000010
【図９】
2016114705.tif 000011
【図１０】
2016114705.tif 000012
【図１１】
2016114705.tif 000013
【図１２】
2016114705.tif 000014
【図１３】
2016114705.tif 000015
【図１４】
2016114705.tif 000016
【図１５】
2016114705.tif 000017
【図１６】
2016114705.tif 000018
【図１７】
2016114705.tif 000019
【図１８】
2016114705.tif 000020
【図１９】
2016114705.tif 000021
【図２０】
2016114705.tif 000022